【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
電子写真画像形成装置に用いられる現像装置であって、
現像剤を収納する現像容器と、
電子写真感光体に形成された静電潜像を前記現像剤により現像する現像剤担持体と、
前記現像容器に設けられた光透過部材であって、前記電子写真画像形成装置に設けられた発光素子より発せられた前記現像容器の内部の現像剤残量を検知するための検知光を、前記現像容器の内部に導くための発光ガイド部と、前記現像容器の内部を通過した前記検知光を前記電子写真画像形成装置に設けられた受光素子へ導くための受光ガイド部と、を有する光透過部材と、
前記光透過部材における前記発光ガイド部と前記受光ガイド部との間を覆い、前記受光素子へ向かう前記検知光を抑制する抑制部材であって、前記光透過部材と二色成形により一体で形成された抑制部材と、
を有することを特徴とする現像装置。
【請求項２】
電子写真画像形成装置に用いられる現像装置であって、
現像剤を収納する現像容器と、
電子写真感光体に形成された静電潜像を前記現像剤により現像する現像剤担持体と、
前記現像容器に設けられた光透過部材であって、前記電子写真画像形成装置に設けられた発光素子より発せられた前記現像容器の内部の現像剤残量を検知するための検知光を、前記現像容器の内部に導くための発光ガイド部と、前記現像容器の内部を通過した前記検知光を前記電子写真画像形成装置に設けられた受光素子へ導くための受光ガイド部と、を有する光透過部材と、
前記光透過部材における前記発光ガイド部と前記受光ガイド部との間に塗られ、前記受光素子へ向かう前記検知光を抑制する塗料と、
を有する
ことを特徴とする現像装置。
【請求項３】
電子写真画像形成装置に用いられる現像装置であって、
現像剤を収納する現像容器と、
電子写真感光体に形成された静電潜像を前記現像剤により現像する現像剤担持体と、
前記現像容器に設けられた光透過部材であって、前記電子写真画像形成装置に設けられた発光素子より発せられた前記現像容器の内部の現像剤残量を検知するための検知光を、前記現像容器の内部に導くための発光ガイド部と、前記現像容器の内部を通過した前記検知光を前記電子写真画像形成装置に設けられた受光素子へ導くための受光ガイド部と、を有する光透過部材と、
前記光透過部材における前記発光ガイド部と前記受光ガイド部との間に貼られ、前記受光素子へ向かう前記検知光を抑制するシールと、
を有することを特徴とする現像装置。
【請求項４】
電子写真画像形成装置に着脱可能なプロセスカートリッジであって、
電子写真感光体と、
請求項１〜３のいずれかに記載の現像装置と、
を有することを特徴とするプロセスカートリッジ。
【請求項５】
記録媒体に画像を形成する電子写真画像形成装置であって、
電子写真感光体と、
請求項１〜３のいずれかに記載の現像装置と、
を有することを特徴とする電子写真画像形成装置。
【請求項６】
記録媒体に画像を形成する電子写真画像形成装置であって、
請求項４に記載のプロセスカートリッジと、
前記プロセスカートリッジを取り外し可能に装着する装着手段と、
を有することを特徴とする電子写真画像形成装置。
【手続補正２】
【補正対象書類名】明細書
【補正対象項目名】００１２
【補正方法】変更
【補正の内容】
【００１２】
上記目的は本発明に係る現像装置、プロセスカートリッジ及び電子写真画像形成装置において達成される。要約すれば、第１の本発明は、電子写真画像形成装置に用いられる現像装置であって、
現像剤を収納する現像容器と、
電子写真感光体に形成された静電潜像を前記現像剤により現像する現像剤担持体と、
前記現像容器に設けられた光透過部材であって、前記電子写真画像形成装置に設けられた発光素子より発せられた前記現像容器の内部の現像剤残量を検知するための検知光を、前記現像容器の内部に導くための発光ガイド部と、前記現像容器の内部を通過した前記検知光を前記電子写真画像形成装置に設けられた受光素子へ導くための受光ガイド部と、を有する光透過部材と、
前記光透過部材における前記発光ガイド部と前記受光ガイド部との間を覆い、前記受光素子へ向かう前記検知光を抑制する抑制部材であって、前記光透過部材と二色成形により一体で形成された抑制部材と、
を有することを特徴とする現像装置である。
【手続補正３】
【補正対象書類名】明細書
【補正対象項目名】００１３
【補正方法】変更
【補正の内容】
【００１３】
第２の本発明は、電子写真画像形成装置に用いられる現像装置であって、
現像剤を収納する現像容器と、
電子写真感光体に形成された静電潜像を前記現像剤により現像する現像剤担持体と、
前記現像容器に設けられた光透過部材であって、前記電子写真画像形成装置に設けられた発光素子より発せられた前記現像容器の内部の現像剤残量を検知するための検知光を、前記現像容器の内部に導くための発光ガイド部と、前記現像容器の内部を通過した前記検知光を前記電子写真画像形成装置に設けられた受光素子へ導くための受光ガイド部と、を有する光透過部材と、
前記光透過部材における前記発光ガイド部と前記受光ガイド部との間に塗られ、前記受光素子へ向かう前記検知光を抑制する塗料と、
を有する
ことを特徴とする現像装置である。
【手続補正４】
【補正対象書類名】明細書
【補正対象項目名】００１４
【補正方法】変更
【補正の内容】
【００１４】
第３の発明は、電子写真画像形成装置に用いられる現像装置であって、
現像剤を収納する現像容器と、
電子写真感光体に形成された静電潜像を前記現像剤により現像する現像剤担持体と、
前記現像容器に設けられた光透過部材であって、前記電子写真画像形成装置に設けられた発光素子より発せられた前記現像容器の内部の現像剤残量を検知するための検知光を、前記現像容器の内部に導くための発光ガイド部と、前記現像容器の内部を通過した前記検知光を前記電子写真画像形成装置に設けられた受光素子へ導くための受光ガイド部と、を有する光透過部材と、
前記光透過部材における前記発光ガイド部と前記受光ガイド部との間に貼られ、前記受光素子へ向かう前記検知光を抑制するシールと、
を有することを特徴とする現像装置である。
【手続補正５】
【補正対象書類名】明細書
【補正対象項目名】００１５
【補正方法】変更
【補正の内容】
【００１５】
第４の発明は、電子写真画像形成装置に着脱可能なプロセスカートリッジであって、
電子写真感光体と、
第１〜第３の発明のいずれかに記載の現像装置と、
を有することを特徴とするプロセスカートリッジである。
【手続補正６】
【補正対象書類名】明細書
【補正対象項目名】００１６
【補正方法】変更
【補正の内容】
【００１６】
第５の発明は、記録媒体に画像を形成する電子写真画像形成装置であって、
電子写真感光体と、
第１〜第３の発明いずれかに記載の現像装置と、
を有することを特徴とする電子写真画像形成装置である。
【手続補正７】
【補正対象書類名】明細書
【補正対象項目名】００１７
【補正方法】変更
【補正の内容】
【００１７】
第６の発明は、記録媒体に画像を形成する電子写真画像形成装置であって、
第４の発明に記載のプロセスカートリッジと、
前記プロセスカートリッジを取り外し可能に装着する装着手段と、
を有することを特徴とする電子写真画像形成装置である。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】